(57)【特許請求の範囲】
【請求項１】
電池電源と、
電源投入を検出して上記電池電源の供給電圧チェックと各回路部の初期化設定を行なう設定手段と、
計時手段と、
この計時手段で計時される時刻と電池電源の低電圧時に対応した複数組のイラストパターンを記憶した記憶手段と、
上記イラストパターンを表示する表示手段と、
上記設定手段の供給電圧チェックによる電池電源の低電圧の検出結果と、上記計時手段より得る電源投入を検出した時刻とに対応する組に属する複数のイラストパターンを上記記憶手段から読出し、上記設定手段が初期化設定を終えるまでの間、読出した組に属する複数のイラストパターンを上記表示手段に順次切換表示するよう制御する制御手段と
を具備したことを特徴とする電子機器。
【請求項２】
上記電子機器はページング信号を受信する受信手段をさらに有し、
上記設定手段が行なう初期化設定として、この受信手段によりページング信号に含まれる同期信号の受信を検出する
ことを特徴とする請求項１記載の電子機器。
【請求項３】
計時部を備え、電池電源で動作する携帯電子機器における表示方法であって、
電源投入を検出して上記電池電源の供給電圧チェックと各回路部の初期化設定を行なう設定ステップと、
この設定ステップの当初に上記供給電圧チェックによる電池電源の低電圧の検出結果と、上記計時手段より得る電源投入を検出した時刻とにより、複数組のイラストパターンを記憶したメモリから対応した組に属する複数のイラストパターンを読出す読出しステップと、
上記設定ステップで初期化設定を終えるまでの間、この読出しステップにて読出された組に属する複数のイラストパターンを表示部に順次切換表示する表示ステップと
を有したことを特徴とする表示方法。
【発明の詳細な説明】
【０００１】
【産業上の利用分野】
本発明は、例えばページング受信機等のように携帯して使用する電子機器及び表示方法に関する。
【０００２】
【従来の技術】
従来、一般的に使用されているページング受信機等の携帯電子機器は、省電力対策と、静電気によるメモリ内のデータ破壊を防ぐため、電源投入毎に各回路部の初期化設定として、電池電圧のチェック、ＲＡＭ内のメモリチェック、またＩＤコードのデコーダへの書込み、同期信号のサーチ等を行なう。したがって、このような電子機器の場合、回路の構成や動作処理の内容が複雑であればあるほど、初期化設定に要する時間が長くなる。そして、この初期化設定の処理中は、通常その表示部において何の表示も行なわないか、あるいは予め固定的に用意されている初期化設定処理用の例えば「ただいま準備中です」等の文字メッセージなどを表示するようになっている。
【０００３】
【発明が解決しようとする課題】
したがって、このような電子機器の使用者は、電源投入後、初期化設定が終了するまでは上記のような表示がなされるので、非常に味気無かった。また、コミュニションツールとして用いられるページング受信機等の場合では、着信を待ち受ける準備として、所定時間、同期信号のサーチを行なうので、その間、非常に退屈するということがあった。
【０００４】
本発明は上記のような実情に鑑みてなされたもので、その目的とするところは、電源を投入して初期化設定及び着信待ち受け準備を行なっている間、電源投入下時間帯、及び当該電子機器の状態に対応して使用者の興味を引くような、変化に富んだ表示等を行なう電子機器及び表示方法を提供することにある。
【０００５】
【課題を解決するための手段】
すなわち本発明は、
（１）  電池電源と、電源投入を検出して上記電池電源の供給電圧チェックと各回路部の初期化設定を行なう設定手段と、計時手段と、この計時手段で計時される時刻と電池電源の低電圧時に対応した複数組のイラストパターンを記憶した記憶手段と、上記イラストパターンを表示する表示手段と、上記設定手段の供給電圧チェックによる電池電源の低電圧の検出結果と、上記計時手段より得る電源投入を検出した時刻とに対応する組に属する複数のイラストパターンを上記記憶手段から読出し、上記設定手段が初期化設定を終えるまでの間、読出した組に属する複数のイラストパターンを上記表示手段に順次切換表示するよう制御する制御手段とを備えるようにしたものである。
（２）  上記（１）項において、上記電子機器はページング信号を受信する受信手段をさらに有し、上記設定手段が行なう初期化設定として、この受信手段によりページング信号に含まれる同期信号の受信を検出するようにしたものである。
（３）  計時部を備え、電池電源で動作する携帯電子機器における表示方法であって、電源投入を検出して上記電池電源の供給電圧チェックと各回路部の初期化設定を行なう設定ステップと、この設定ステップの当初に上記供給電圧チェックによる電池電源の低電圧の検出結果と、上記計時手段より得る電源投入を検出した時刻とにより、複数組のイラストパターンを記憶したメモリから対応した組に属する複数のイラストパターンを読出す読出しステップと、上記設定ステップで初期化設定を終えるまでの間、この読出しステップにて読出された組に属する複数のイラストパターンを表示部に順次切換表示する表示ステップとを有するようにしたものである。
【０００６】
【作用】
上記（１）項に記載した構成によれば、電源を投入した時刻と電源となる電池の残容量とによって異なる複数組の中から対応する組に属する複数のイラストパターンが表示部に順次切換表示されるため、初期化設定を行なっている間も使用者の興味を引くような変化に富んだ表示を行なうことができると共に、電池の残容量が少ない場合にはそれを知ることができる。
【０００８】
上記（２）項に記載した構成によれば、上記（１）項の作用に加えて、電源をを投入した時刻と電池の残容量とによって異なる複数のイラストパターンが表示部に順次切換表示されるため、着信待ち受け準備を行なっている間でも使用者の興味を引くような変化に富んだ表示を行なうことができると共に、電池の残容量が少ない場合にはそれを知ることができる。
上記（３）項に記載した方法によれば、電源を投入した時刻と電源となる電池の残容量とによって異なる複数組の中から対応する組に属する複数のイラストパターンを表示部に順次切換表示させるため、初期化設定を行なっている間も使用者の興味を引くような変化に富んだ表示を行なわせることができると共に、電池の残容量が少ない場合にはそれを知ることができる。
【０００９】
【実施例】
以下本発明をページングサービスに適用されるペ−ジング受信機に適用した場合の一実施例について図面を参照して説明する。
図１はその外観構成を示すもので、ページング受信機１は本体ケース１ａの前面に液晶表示パネルによる表示部２と着信報知時に点灯するＬＥＤ３とが設けられる。また、本体ケース１ａの側面には、キー４ａ〜４ｄからなるキー入力部４と、本ページング受信機１をキーホルダ等に取付けるためのキーリング部５とが適宜設けられる。
【００１０】
上記表示部２は、上述した如く液晶表示パネルで構成されるものであり、電源としての電池のおおよその残容量を表示するためのバッテリー表示部２ａ、着信があった際に報知をブザー音等の音声でも行なうモードが設定されている状態を表示するための着信音報知表示部２ｂ、４つの日の字状セグメント及び記号「：」のセグメントにより現在の時刻を表示するための時刻表示部２ｃ、文字による伝言メッセージ等を表示するためのメッセージ表示部２ｄ及び図中に示す如く人間の顔のイラストからなるイラスト表示部２ｅ、タイマースタートからタイムアップまでの所定時間、同期信号をサーチし、受信できなかった場合にそのシンボルが表示される圏外表示部２ｆを有している。
【００１１】
メッセージ表示部２ｄを除くバッテリー表示部２ａ、着信音報知表示部２ｂ、時刻表示部２ｃ、イラスト表示部２ｅ及び圏外表示部２ｆはいずれもセグメント表示するものであり、対してメッセージ表示部２ｄはドットマトリクス表示であるものとする。また、時刻表示部２ｃは、電源の投入状態にかかわらず常に表示駆動されて現在の時刻を表示するものとする。
【００１２】
上記キー入力部４は、各種の操作用キーとして、電源キー４ａ、セットキー４ｂ、セレクトキー４ｃ及びモードキー４ｄを有している。ここで電源キー４ａは、電源をオン／オフするためのものである。また、セットキー４ｂは各種モードにおいて設定操作を行なう際にその決定を指示するもの、セレクトキー４ｃは各モードにおいて選択操作を行なうもの、モードキー４ｄはその操作回数によって各モードを選択操作するものである。
【００１３】
図２は上記ページング受信機１に設けられる回路の概略構成を示すもので、一重線は供給電圧の流れを、二重線は制御信号の流れをそれぞれ示している。図において１１はアンテナであり、このアンテナ１１はＲＦ受信部１２に接続し、このＲＦ受信部１２をデコーダ部１３を介してＣＰＵ１４に接続している。ＲＦ受信部１２は、アンテナ１１で受信した受信データを復調する。
【００１４】
上記デコーダ部１３は、ＩＤ−ＲＯＭ１５を接続しており、このＩＤ−ＲＯＭ１５は当該ページング受信機１に個別に割当てられたＩＤコード、詳細にはフレームデータやアドレスデータ等を記憶したもので、このＩＤコードをデコーダ部１３に与えるようにしている。
【００１５】
デコーダ部１３は、電源投入を検出した時点においては、所定時間内に同期信号が受信されるまでＲＦ受信部１２を駆動させ、同期信号を受信すると今度はＩＤ−ＲＯＭ１５より取込んだＩＤコードに基づいて間欠駆動させる。そして、ＲＦ受信部１２で復調した信号を解読し、これが自機に割当てられたＩＤコードに一致したと判断すると、一致検出信号および続いて受信されるメッセージデータをＣＰＵ１４に送出するようにしている。
【００１６】
ＣＰＵ１４は、内部に現在の時刻の計時と、電源投入によりスタートするタイマのタイムアップまでの所定の時間をカウントするための計時カウンタ１４ａを有し、さらに上述したキー入力部４及び表示部２、上記ＬＥＤ３を含む報知部１６、ＲＯＭ１７、ＲＡＭ１８、検出回路１９を接続している。
【００１７】
表示部２は、ＣＰＵ１４の制御の下で動作するドライバ２０の駆動により各種表示を行なう。
報知部１６は、上記ＬＥＤ３と図示しないスピーカ及びバイブレータで構成され、それぞれがドライバ２１によって個別に駆動されるもので、呼出し状態をＬＥＤ３は光の点滅で、スピーカはブザー音で、そしてバイブレータは振動でそれぞれこのページング受信機１の使用者に報知するものである。
【００１８】
ＲＯＭ１７は、ＣＰＵ１４のために予め用意された初期化設定プログラムを含む各種制御プログラムを記憶するとともに、初期化設定用イラストテーブル、低電圧警告用イラストテーブルなどを記憶している。
【００１９】
ここで初期化設定用イラストテーブルは、図３に示すように１日２４時間を４つの時間帯、すなわち「６：００〜１２：００」「１２：００〜１８：００」「１８：００〜２４：００」「２４：００〜６：００」に分割し、各時間帯毎に、上記表示部２に表示する表示データとして、メッセージ表示部２ｄに表示するメッセージとイラスト表示部２ｅに順次切換表示するイラストとを記憶しているもので、時刻データをアドレスとして指定することにより、対応する時間帯の表示データを読出すようになっている。
【００２０】
また、低電圧警告用イラストテーブルは、図４に示すように時間帯に関係なくメッセージ表示部２ｄに表示する固定メッセージ「バッテリーブソク！」と、上記と同様に１日２４時間を４つの時間帯に分割したうち「６：００〜１２：００」「１８：００〜２４：００」に対応し、イラスト表示部２ｅに切換表示表示する２枚のイラストと、「１２：００〜１８：００」「２４：００〜６：００」に対応し、同じくイラスト表示部２ｅに切換表示するための２枚のイラストとを記憶しているもので、時刻データをアドレスとして指定することにより、無条件にメッセージ表示部２ｄで表示する上記メッセージを、対応する時間帯の上記２枚分のイラストと共に読出すようになっている。
【００２１】
ＲＡＭ１８は、ＣＰＵ１４における各種処理データを一次記憶するためのものである。
検出回路１９は、このページング受信機１の電源となる図示しない電池及びその供給回路からなる電源回路２２と接続され、ＣＰＵ１４の制御の下に該電池の供給電圧値を検出するもので、その得られた検出値はＣＰＵ１４へ送られる。
【００２２】
しかして、上記電源回路２２からの電圧は上記ＲＦ受信部１２、デコーダ部１３、キー入力部４、ドライバ２０，２１、ＣＰＵ１４、検出回路１９及びＲＡＭ１８に供給されるもので、このうち特にキー入力部４、ドライバ２０、ＣＰＵ１４及びＲＡＭ１８へは上記電源キー４ａの操作による電源のオン／オフ状態にかかわらず常に電圧供給され、ＣＰＵ１４内部の計時カウンタ１４ａの内容により表示部２の時刻表示部２ｃで現在の時刻を表示すると共に、ＲＡＭ１８の記憶内容をバックアップするようになっている。
【００２３】
次に上記実施例の動作について説明する。
図５はキー入力部４の電源キー４ａを操作して電源をオンした際にＣＰＵ１４がＲＯＭ１７から読出して実行する初期化設定プログラムの流れを示すフローチャートの一部を示すものであり、その処理当初には電源回路２２からの電圧を上記ＲＦ受信部１２、デコーダ部１３、ドライバ２１及び検出回路１９にも供給させると共に、ＩＤ−ＲＯＭ１５よりＩＤコードを読出してデコーダ部１３にセットし、ＲＡＭ１８のメモリチェックを行なう。また、検出回路１９により電源回路２２内の電池からの供給電圧値を検出させ、同時にタイマスタートさせる（ステップＳ１）。
【００２４】
ＣＰＵ１４は、検出回路１９で検出した内容が予め用意されている一定値を越えているか否かにより、まだ充分に該電池に残容量があるか否かをチェックするもので、まだ一定値を下回る低電圧状態とはなっていないと判断した際には（ステップＳ２）、上記図３に示したＲＯＭ１７の初期化設定用イラストテーブルにより計時カウンタ１４ａでカウントしている現在の時刻データをアドレスとしてアクセスし、現在の時間帯に対応した上記表示部２のメッセージ表示部２ｄで表示するための表示データとしてメッセージとイラスト表示部２ｅで順次切換表示するための３枚のイラストとを読出し、まず１枚目のイラストを表示部２で表示させる一方、初期化設定を行ない、着信を待受ける準備として上記ＲＦ受信部１２及びデコーダ部１３により同期信号をタイムアップまでサーチする（ステップＳ３）。
【００２５】
図６（ａ）はこのときの表示部２での表示状態を例示するもので、図中の時刻表示部２ｃに示すように電源オンした時刻が「（午前）１０：００」であり、したがってＲＯＭ１７の初期化設定用イラストテーブルから対応する時間帯の表示データを読出し、まず１枚目のイラストを表示部２のイラスト表示部２ｅで表示させている状態を示す。このとき、初期化設定用イラストテーブルの対応する時間帯における１枚目の表示内容では、メッセージが設定されていないため、図中に破線で示す如くメッセージ表示部２ｄでのメッセージの表示は行なわない。また、着信音報知表示部２ｂは着信があった際に報知をブザー音等の音声でも行なうモードが設定されていることを示している。
【００２６】
その後、同期信号を受信するか、あるいはタイムアップすることによるサーチ終了まで上記初期化設定用イラストテーブルから読出した３枚のイラストを表示部２で順次繰返して切換表示することにより動画表示を実行する（ステップＳ４）
図６（ｂ），図６（ｃ）は上記図６（ａ）に続く表示部２での表示状態を例示するもので、イラスト表示部２ｅで表示されるイラストが段階的に変化していることに加え、この２枚目、３枚目の表示内容ではメッセージ「オハヨウ」が設定されているため、メッセージ表示部２ｄではその文字がドットマトリクスにより表示される。
【００２７】
この場合、メッセージ表示部２ｄで表示される表示メッセージは上記図３に示した如く現在の時刻の属する時刻帯に対応したものであり、例えば「６：００〜１２：００」では上述の如く「オハヨウ」、「１２：００〜１８：００」では「コンニチワ」、「１８：００〜２４：００」では「コンバンワ」、「２４：００〜６：００」では睡眠している状態及び寝ぼけている状態を模した「ＺＺ…」及び「？」であり、これらの表示メッセージがイラスト表示部２ｅで表示されるイラストの表示切換えに連動して表示されるため、きわめて自然に使用者の興味を引付けることができる。
【００２８】
これら図６（ａ）〜図６（ｃ）に示した表示部２での表示状態を図６（ａ）→図６（ｂ）→図６（ｃ）→図６（ａ）→図６（ｂ）→‥‥というように順次切換えて繰返し行なうことにより動画表示を実行する。
【００２９】
そして、上記同期信号のサーチが終了するとＣＰＵ１４は、上記図６に示した動画表示を停止し、あらためて自機に割当てられた間欠受信のタイミングを上記同期信号から算出して着信待ちのモードを設定すると共に、図７（ｃ）に示すように無駄な電力消費を避けるためにイラスト表示部２ｅでの表示を禁止して、着信音報知部２ｂ及び時刻表示部２ｃのみ駆動させることによる着信待ちモードでの基本画面を表示部２で表示させ（ステップＳ５）、以上でこの図５の処理を終了して、図示しない着信待ちモードでの動作処理に移行する。
【００３０】
また、タイムアップまで同期信号が受信できなかった場合は、基本画面上にさらに圏外表示部２ｆにシンボルが点灯する。
また、上記ステップＳ２で検出回路１９で検出した内容が予め用意されている一定値を越えておらず、あまり該電池に残容量がないと判断した際には、上記図４に示したＲＯＭ１７の低電圧警告用イラストテーブルにより計時カウンタ１４ａでカウントしている現在の時刻データをアドレスとしてアクセスし、表示部２のメッセージ表示部２ｄで表示するメッセージ「バッテリーブソク！」と電源オンした時間帯に対応したイラスト表示部２ｅで表示するためのイラスト２枚分とを表示データとして読出し、まず１枚目のイラストを表示部２で表示させる一方、初期化設定を行ない、着信を待受ける準備として上記ＲＦ受信部１２及びデコーダ部１３により同期信号をタイムアップまでサーチする（ステップＳ６）。
【００３１】
図７（ａ）はこのときの表示部２での表示状態を例示するもので、図中の時刻表示部２ｃに示すように電源オンした時刻が「（午前）１０：００」であり、したがってＲＯＭ１７の低電圧警告用イラストテーブルからメッセージと、対応する時間帯の２枚分のイラストとを読出し、まず１枚目のイラストを表示部２のイラスト表示部２ｅで、メッセージをメッセージ表示部２ｄで表示させている状態を示す。このとき、図中に示す如く同時にバッテリー表示部２ａでは電源となる電池の残容量が少ないことを点滅表示させるものとする。また、着信音報知表示部２ｂは着信があった際に報知をブザー音等の音声でも行なうモードが設定されていることを示している。
【００３２】
その後、同期信号を受信するか、あるいはタイムアップすることによるサーチ終了まで上記低電圧警告用イラストテーブルから読出したイラストをイラスト表示部２ｅで順次繰返して切換表示することにより動画表示を実行する（ステップＳ７）
図７（ｂ）は上記図７（ａ）に続く上記２枚目の表示データによる表示部２での表示状態を例示するもので、イラスト表示部２ｅで表示されるイラストが変化している。
【００３３】
これら図７（ａ），図７（ｂ）に示した表示部２での表示状態を図７（ａ）→図７（ｂ）→図７（ａ）→図７（ｂ）→‥‥というように順次切換えて繰返し行なうことにより動画表示を実行する。
【００３４】
そして、上記同期信号のサーチが終了するとＣＰＵ１４は、上記図７（ａ），図７（ｂ）に示した動画表示を停止し、あらためて自機に割当てられた間欠受信のタイミングを上記同期信号から算出して着信待ちのモードを設定すると共に、図７（ｃ）の基本画面上にさらにバッテリ表示部２ａを点灯させて（ステップＳ８）、以上でこの図５の処理を終了し、図示しない着信待ちモードでの動作処理に移行する。
【００３５】
また、タイムアップまで同期信号が受信できなかった場合は、基本画面上にさらに圏外表示部２ｆにシンボルが点灯する。
なお、本発明は上記実施例にのみ限定されず、要旨を変更しない範囲で適宜変形して実施できる。例えば、上述した実施例では、イラストパターンとして似顔絵のパターンを用いたが、イラストパターンとしては人相の状態に限らず、他の生命体、物体などの状態を模写したものを使用しても良い。
また、本発明はページング受信機に限らず、初期化設定が必要な電子機器、電池電源で携帯使用する電子機器の全てに本発明は適用できるものである。
【００３６】
【発明の効果】
以上に述べた如く本発明によれば、電源を投入して初期化設定及び着信待ち受け準備を行なっている間、電源投入した時間帯及び当該電子機器の状態に対応して使用者の興味を引くような、なんらかの変化に富んだ表示等を行なうことができると共に、電池の残容量が少ない場合にはそれを知ることができる電子機器及び表示方法を提供することができる。
【図面の簡単な説明】
【図１】本発明野の一実施例に係るページング受信機の外観構成を示す平面図。
【図２】同実施例に係る回路構成を示すブロック図。
【図３】図２のＲＯＭに記憶される初期化設定用イラストテーブルを例示する図。
【図４】図２のＲＯＭに記憶される低電圧警告用イラストテーブルを例示する図。
【図５】同実施例に係る初期化設定動作の処理内容を示すフローチャート。
【図６】同実施例に係る動作の表示例を示す図。
【図７】同実施例に係る動作の表示例を示す図。
【符号の説明】
１…ページング受信機
１ａ…本体ケース
２…表示部
２ａ…バッテリー表示部
２ｂ…着信音報知表示部
２ｃ…時刻表示部
２ｄ…メッセージ表示部
２ｅ…イラスト表示部
２ｆ…圏外表示部
３…ＬＥＤ
４…キー入力部
４ａ…電源キー
１１…アンテナ
１２…ＲＦ受信部
１３…デコーダ部
１４…ＣＰＵ
１４ａ…計時カウンタ
１５…ＩＤ−ＲＯＭ
１６…報知部
１７…ＲＯＭ
１８…ＲＡＭ
１９…検出回路
２０，２１…ドライバ
２２…電源回路
【図１】
0003986100.tif 000002
【図２】
0003986100.tif 000003
【図３】
0003986100.tif 000004
【図４】
0003986100.tif 000005
【図５】
0003986100.tif 000006
【図６】
0003986100.tif 000007
【図７】
0003986100.tif 000008